(57)【要約】【課題】ソケットに対する接続基板の挿抜が容易で、且つ、プラグとソケットとを確実に接続することができる基板対基板用コネクタの提供。【解決手段】ソケットは、基板挿入部２０を有するスライダ２１と、スライダ２１が移動可能に保持されるソケットハウジング２１と、基板挿入部２０の内側に配置される複数のコンタクト２３，２３...と、ソケットハウジング２１の側端面に回動可能に支持されたカムプレート２４，２４と、スライダ２１に保持された操作用シャフト２８とを備え、操作溝２７は、カムプレート２４の回動軸との距離がその両端でそれぞれ異なる形状に形成され、各コンタクト２３，２３...は、スライダ２１が基板挿入位置Ｐ１にあるときに基板挿入部の内側面２０ａと接触せず、スライダ２１が基板接続位置Ｐ２にあるときに基板挿入部の内側面２０ａに押圧される操作部６５を備えている。【選択図】図２
2015198021.tif 000002
【特許請求の範囲】
【請求項１】
接続基板が挿入されるソケットを備え、該ソケットが実装された実装基板と前記接続基板とを接続する基板対基板用コネクタにおいて、
前記ソケットは、
前記接続基板が挿通される基板挿入部を有するスライダと、
該スライダが基板挿抜方向の所望の基板挿入位置と基板接続位置との間で移動可能に保持されるソケットハウジングと、
前記スライダの基板挿入部の内側に配置されるように前記ソケットハウジングに支持された複数のコンタクトと、
前記ソケットハウジングの側端面に回動可能に支持されたカムプレートと、
前記スライダに保持された操作用シャフトとを備え、
該操作用シャフトの端部は、前記ソケットハウジングの側部に形成されたガイド溝を通してソケットハウジング側端面より突出し、且つ、その突出した端部が前記カムプレートに形成された操作溝に挿入され、
前記操作溝は、前記カムプレートの回動軸からの距離がそれぞれ異なる位置を通るように形成され、前記カムプレートの回動動作に連動して前記スライダが移動するようにし、
前記各コンタクトは、前記スライダが前記基板挿入位置にあるときに前記基板挿入部の内側面部と接触せず、前記スライダが前記基板接続位置にあるときに前記基板挿入部の内側面部に押圧される操作部を備え、
前記スライダが基板挿入位置にある状態で前記基板挿入部に前記接続基板を挿入し、その状態から前記カムプレートを回動させ前記スライダを基板接続位置に移動させることにより、前記操作部が前記基板挿入部内側面に押圧されて前記各コンタクトの接点部が前記接続基板に形成された信号パッドに圧接するようにしたことを特徴とする基板対基板用コネクタ。
【請求項２】
前記スライダに複数の前記基板挿入部を並列配置に備えた請求項１に記載の基板対基板用コネクタ。
【請求項３】
前記接続基板は、前記ソケットと連結されるプラグに保持され、該プラグと前記ソケットとを接続することにより前記接続基板が前記スライダの基板挿入部に挿入されるようにした請求項１又は２に記載の基板対基板用コネクタ。
【請求項４】
前記プラグは、前記接続基板を保持するプラグハウジングを備え、該プラグハウジングにその側端面より突出したロック用突起を備え、
前記カムプレートには、前記基板接続位置にスライダを移動させる側への回動に伴い、前記ロック用突起と互いに係合するロック用鉤部を備えた請求項３に記載の基板対基板用コネクタ。
【請求項５】
前記ロック用突起は、前記プラグハウジング側端面の基板厚み方向の何れか一方に片寄せて配置された請求項４に記載の基板対基板用コネクタ。
【発明の詳細な説明】
【技術分野】
【０００１】
本発明は、電子機器や医療機器等に保持された実装基板と多極ケーブルやそのインターフェースとの接続に使用される基板対基板用コネクタに関する。
【背景技術】
【０００２】
従来、電子機器や医療機器等に内蔵されたマザーボード等の実装基板と多極ケーブル等との接続には、基板対基板用コネクタが使用されている。
【０００３】
この基板対基板用のコネクタは、多極ケーブル等に接続された接続基板を内蔵したプラグと、接続基板が挿入されるソケットとを備え、プラグとソケットとを接続し、接続基板がソケット内に挿入されることにより、接続基板の表面に形成された各信号パッドとソケット内に配設された各コンタクトとが接触し、多極ケーブルとソケットが実装された実装基板とを電気的に接続する構造になっている（例えば、特許文献１を参照）。
【０００４】
ソケットは、接続基板が挿入される基板挿入部を有する絶縁樹脂製のハウジングと、基板挿入部の互いに対向する内側面部に基板挿抜方向に向けて並列配置された多数のコンタクトとを備え、基板挿入部に接続基板を挿入することにより、各コンタクトの接点部が接続基板の表面に形成された各信号パッドに弾性的に接触するようになっている。
【先行技術文献】
【特許文献】
【０００５】
【特許文献１】特表２００３−５３５４５１号公報
【発明の概要】
【発明が解決しようとする課題】
【０００６】
しかしながら、上述の如き従来の技術では、ソケットにコンタクトを多数備え、その配置が高密度化すると、それに伴い接続基板の挿抜に必要な力が増大し、プラグ（接続基板）とソケットとの連結に支障をきたす虞があり、そのことがコネクタの小型化及びコンタクト配置の高密度化を阻害する原因になっていた。
【０００７】
一方、電子機器や医療機器等のインターフェース接続においては、プラグとソケットの接続向きに過誤があり、ソケットに接続基板が誤った向きで挿入されたり、プラグとソケットとが確実に接続されていなかったりすると、重大な事故の原因になり得るため、そのような接続不良や誤挿入を防止する対策が求められている。
【０００８】
そこで本発明は、このような従来の問題に鑑み、ソケットの小型化及びコンタクト配置の高密度化に適応しつつ、ソケットに対する接続基板の挿抜が容易で、且つ、プラグとソケットとを確実に接続することができる基板対基板用コネクタの提供を目的としてなされたものである。
【課題を解決するための手段】
【０００９】
上述の如き従来の問題を解決し、所期の目的を達成するための請求項1に記載の発明の特徴は、接続基板が挿入されるソケットを備え、該ソケットが実装された実装基板と前記接続基板とを接続する基板対基板用コネクタにおいて、前記ソケットは、前記接続基板が挿通される基板挿入部を有するスライダと、該スライダが基板挿抜方向の所望の基板挿入位置と基板接続位置との間で移動可能に保持されるソケットハウジングと、前記スライダの基板挿入部の内側に配置されるように前記ソケットハウジングに支持された複数のコンタクトと、前記ソケットハウジングの側端面に回動可能に支持されたカムプレートと、前記スライダに保持された操作用シャフトとを備え、該操作用シャフトの端部は、前記ソケットハウジングの側部に形成されたガイド溝を通してソケットハウジング側端面より突出し、且つ、その突出した端部が前記カムプレートに形成された操作溝に挿入され、前記操作溝は、前記カムプレートの回動軸からの距離がそれぞれ異なる位置を通るように形成され、前記カムプレートの回動動作に連動して前記スライダが移動するようにし、前記各コンタクトは、前記スライダが前記基板挿入位置にあるときに前記基板挿入部の内側面部と接触せず、前記スライダが前記基板接続位置にあるときに前記基板挿入部の内側面部に押圧される操作部を備え、前記スライダが基板挿入位置にある状態で前記基板挿入部に前記接続基板を挿入し、その状態から前記カムプレートを回動させ前記スライダを基板接続位置に移動させることにより、前記操作部が前記基板挿入部内側面に押圧されて前記各コンタクトの接点部が前記接続基板に形成された信号パッドに圧接するようにした基板対基板用コネクタにある。
【００１０】
請求項２に記載の発明の特徴は、請求項１の構成に加え、前記スライダに複数の前記基板挿入部を並列配置に備えたことにある。
【００１１】
請求項３に記載の発明の特徴は、請求項１又は２の構成に加え、前記接続基板は、前記ソケットと連結されるプラグに保持され、該プラグと前記ソケットとを接続することにより前記接続基板が前記スライダの基板挿入部に挿入されるようにしたことにある。
【００１２】
請求項４に記載の発明の特徴は、請求項３の構成に加え、前記プラグは、前記接続基板を保持するプラグハウジングを備え、該プラグハウジングにその側端面より突出したロック用突起を備え、前記カムプレートには、前記基板接続位置にスライダを移動させる側への回動に伴い、前記ロック用突起と互いに係合するロック用鉤部を備えたことにある。
【００１３】
請求項５に記載の発明の特徴は、請求項４の構成に加え、前記ロック用突起は、前記プラグハウジング側端面の基板厚み方向の何れか一方に片寄せて配置されたことにある。
【発明の効果】
【００１４】
本発明に係る基板対基板用コネクタは、上述したように、接続基板が挿入されるソケットを備え、該ソケットが実装された実装基板と前記接続基板とを接続する基板対基板用コネクタにおいて、前記ソケットは、前記接続基板が挿通される基板挿入部を有するスライダと、該スライダが基板挿抜方向の所望の基板挿入位置と基板接続位置との間で移動可能に保持されるソケットハウジングと、前記スライダの基板挿入部の内側に配置されるように前記ソケットハウジングに支持された複数のコンタクトと、前記ソケットハウジングの側端面に回動可能に支持されたカムプレートと、前記スライダに保持された操作用シャフトとを備え、該操作用シャフトの端部は、前記ソケットハウジングの側部に形成されたガイド溝を通してソケットハウジング側端面より突出し、且つ、その突出した端部が前記カムプレートに形成された操作溝に挿入され、前記操作溝は、前記カムプレートの回動軸からの距離がそれぞれ異なる位置を通るように形成され、前記カムプレートの回動動作に連動して前記スライダが移動するようにし、前記各コンタクトは、前記スライダが前記基板挿入位置にあるときに前記基板挿入部の内側面部と接触せず、前記スライダが前記基板接続位置にあるときに前記基板挿入部の内側面部に押圧される操作部を備え、前記スライダが基板挿入位置にある状態で前記基板挿入部に前記接続基板を挿入し、その状態から前記カムプレートを回動させ前記スライダを基板接続位置に移動させることにより、前記操作部が前記基板挿入部内側面に押圧されて前記各コンタクトの接点部が前記接続基板に形成された信号パッドに圧接するようにしたことにより、ゼロインフォース（無挿抜力）構造によって接続基板の挿抜を抵抗なく行え、且つ、接続時には確実に接続基板とコンタクトとが接触する。
【００１５】
また、本発明において、前記スライダに複数の前記基板挿入部を並列配置に備えたことにより、複数の接続基板を無挿抜力構造によって接続することができる。
【００１６】
更に、本発明において、前記接続基板は、前記ソケットと連結されるプラグに保持され、該プラグと前記ソケットとを接続することにより前記接続基板が前記スライダの基板挿入部に挿入されるようにしたことにより、ソケットと接続基板とを確実且つ容易に接続することができる。
【００１７】
更に又、本発明において、前記プラグは、前記接続基板を保持するプラグハウジングを備え、該プラグハウジングにその側端面より突出したロック用突起を備え、前記カムプレートには、前記基板接続位置にスライダを移動させる側への回動に伴い、前記ロック用突起と互いに係合するロック用鉤部を備えたことにより、ソケットに対し接続基板を強固に接続でき、接触不良を防止することができる。
【００１８】
また、本発明において、前記ロック用突起は、前記プラグハウジング側端面の基板厚み方向の何れか一方に片寄せて配置されたことにより、誤挿入を防止することができる。
【図面の簡単な説明】
【００１９】
【図１】（ａ）は本発明に係る基板対基板コネクタの使用態様を示す正面図、（ｂ）は同左側面図である。
【図２】同上の分解斜視図である。
【図３】（ａ）図１中のプラグを示す正面図、（ｂ）は同底面図、（ｃ）は同縦断面図である。
【図４】同上の分解断面図である。
【図５】図３中の接続基板を示す正面図である。
【図６】（ａ）図１中のソケットを示す正面図、（ｂ）は同平面図、（ｃ）は同側面図、（ｄ）は同縦断面図である。
【図７】同上の分解断面図である。
【図８】（ａ）は図７中のスライダを示す平面図、（ｂ）は同底面図、（ｃ）は同ａ−ａ線断面図、（ｂ）は同ｂ−ｂ線断面図である。
【図９】（ａ）（ｂ）は図７中の外部ケースを示す斜視図、（ｃ）は同縦断面図である。
【図１０】（ａ）は図７中の内部ハウジングを示す平面図、（ｂ）は同正面図、（ｃ）は同側面図、（ｄ）は縦断面図である。
【図１１】図７中のコンタクトを示す拡大斜視図である。
【図１２】図７中のカムプレートを示す拡大側面図である。
【図１３】基板対基板用コネクタの（ａ）は基板挿入動作時、（ｂ）は基板接続時の状態を示す図であって、上段が側面図、下段が縦断面図である。
【図１４】ソケットの動作状態を示す縦断面図であって、（ａ）は基板挿入動作時、（ｂ）は基板接続時の状態である。
【図１５】本発明に係る基板対基板用コネクタの他の使用態様を示す斜視図である。
【図１６】同上の縦断面図である。
【発明を実施するための形態】
【００２０】
次に、本発明に係る基板対基板コネクタの実施態様を図１〜図１６に示した実施例に基づいて説明する。尚、図中符号Ａは電子機器や医療機器等に内蔵されたＰＣＢ等の実装基板、符号Ｂは多極ケーブル等に接続されたＰＷＢ等の接続基板、符号１は実装基板Ａに接続基板Ｂ，Ｂを接続するための基板対基板コネクタである。
【００２１】
基板対基板コネクタ１は、接続基板Ｂ，Ｂが挿入されるソケット２を備え、このソケット２を介してＰＷＢ等の接続基板Ｂ，ＢとＰＣＢ等の実装基板Ａとを電気的に接続するようになっている。
【００２２】
また、基板対基板コネクタ１は、ソケット２と連結されるプラグ３を備え、このプラグ３に接続基板Ｂ，Ｂが保持され、プラグ３とソケット２とを連結することにより接続基板Ｂ，Ｂがソケット２に挿入されるようになっている。
【００２３】
尚、本実施例においては、プラグ３とソケット２との連結方向（図１（ａ）中の上下方向）をコネクタ高さ方向、同図１（ａ）中の左右方向をコネクタ幅方向、図１（ｂ）中の左右方向をコネクタ厚み方向として説明する。
【００２４】
プラグ３は、図３、図４に示すように、接続基板Ｂ，Ｂを保持するプラグハウジング４を備え、プラグハウジング４は、絶縁樹脂製の内部ハウジング５と、内部ハウジング５の外側を覆う金属製の外部ケース６とにより構成されている。
【００２５】
そして、このプラグ３は、両接続基板Ｂ，Ｂを上面側より内部ハウジング５に挿通させ、その外側に外部ケース６を組み付けることにより接続基板Ｂ，Ｂのコネクタ高さ方向両端がそれぞれ露出した状態で一体化されている。
【００２６】
接続基板Ｂ，Ｂは、図５に示すように、一定の厚みを有する矩形状のプリント基板であって、一方の端部の表裏両面に多数の信号パッド７，７...（信号伝達用のパターン）が並列配置に形成されている。
【００２７】
この接続基板Ｂ，Ｂの両側縁には、幅方向外側に突出した保持用凸部８，８が一体に形成されている。
【００２８】
内部ハウジング５は、絶縁性合成樹脂により直方体状に一体形成され、上面に開口し、且つ、コネクタ高さ方向に貫通した基板保持部９，９がコネクタ厚み方向で並列に備えられ、この基板保持部９，９の上面側より各接続基板Ｂ，Ｂが内部ハウジング５に挿通され、所望の位置で内部ハウジング５に接続基板Ｂ，Ｂが保持されるようになっている。
【００２９】
基板保持部９，９は、接続基板Ｂ，Ｂが嵌り込む断面細長矩形孔状に形成され、そのコネクタ幅方向の両側には、接続基板Ｂ，Ｂの保持用凸部８，８が当て止めされて係合する係合凹部１０が形成されている。
【００３０】
また、各基板保持部９，９には、コネクタ厚み方向で互いに対向する両内側面部にコネクタ高さ方向に向けた矩形凹溝状の実装用凹部１１，１１...が形成され、接続基板Ｂ，Ｂ上に電子部品が実装された状態でも接続基板Ｂ，Ｂを挿通できるようになっている。
【００３１】
外部ケース６は、コネクタ厚み方向で半割可能な一対のケース部材６ａ，６ｂからなる上下に開口した角筒状に形成され、この両ケース部材６ａ，６ｂで内部ハウジング５を挟み込むようになっている。
【００３２】
一方のケース部材６ｂには、そのコネクタ幅方向の両側端面より突出したロック用突起１２を備え、ロック用突起１２がプラグハウジング４側端面の基板厚み方向の何れか一方に片寄せて配置されている。
【００３３】
ソケット２は、図６、図７に示すように、接続基板Ｂ，Ｂが挿通される基板挿通部２０，２０を有するスライダ２１と、スライダ２１が基板挿入方向の所望の基板挿入位置Ｐ１と基板接続位置Ｐ２との間で移動可能に保持されるソケットハウジング２２と、スライダ２１の基板挿通部２０，２０の内側に配置されるようにソケットハウジング２２に支持された複数のコンタクト２３，２３...と、ソケットハウジング２２の両側端面に回動可能に支持された一対のカムプレート２４，２４と、スライダ２１に保持された操作用シャフト２８とを備え、操作用シャフト２８の端部がソケットハウジング２２の側部に形成されたガイド溝２５，２６を通してソケットハウジング側端面より突出し、且つ、その突出した端部がカムプレート２４に形成された操作溝２７に挿入されている。
【００３４】
スライダ２１は、図８に示すように、絶縁性樹脂により直方体状に一体に形成され、平板状の天板部３０と、天板部３０中央の下面側に突出したコネクタ幅方向に向けた突条状の軸受凸部３１と、天板部３０のコネクタ厚み方向両端縁より鉛直下向きに立ち上げた形状の側板部３２，３２とを備え、天板部３０、軸受凸部３１及び両側板部３２，３２により断面逆山字状を成し、軸受凸部３１と各側板部３２，３２との間にそれぞれ接続基板Ｂ，Ｂが挿通される基板挿通部２０，２０が形成されている。
【００３５】
天板部３０には、各基板挿通部２０，２０の位置に合わせてスリット孔状の挿通孔３３が形成され、この挿通孔３３を通して接続基板Ｂ，Ｂが基板挿通部２０，２０に挿入されるようになっている。
【００３６】
また、天板部３０には、そのコネクタ幅方向両端縁より外向きに突出したストッパー部３４，３４を一体に備え、このストッパー部３４，３４がソケットハウジング２２の上縁に当て止されることにより、ソケットハウジング２２に対し所望の位置より下方への移動が規制されるようになっている。
【００３７】
軸受凸部３１には、コネクタ幅方向に貫通したシャフト挿通孔３５を備え、このシャフト挿通孔３５に操作用シャフト２８が挿入され、操作用シャフト２８がその両端をスライダ２１のコネクタ幅方向両側端面より突出させた状態であって、且つ、コネクタ高さ方向及びコネクタ厚み方向で移動不能に保持されるようになっている。
【００３８】
基板挿通部２０，２０は、そのコネクタ厚み方向で互いに対向する内側面２０ａ，２０ａ間の幅、即ち、軸受凸部３１と側板部３２，３２との距離が接続基板Ｂ，Ｂの厚みより広く形成され、接続基板Ｂ，Ｂが挿入された際、接続基板Ｂ，Ｂと各基板挿通部２０，２０の内側面との間に各コンタクト２３，２３...を配置可能な空間が確保されている。
【００３９】
ソケットハウジング２２は、合成樹脂製の内部ハウジング４０と、内部ハウジング４０が収容される金属製の外部ケース４１と、コンタクト２３，２３...を保持させた合成樹脂製のコンタクト保持部材４２，４２とを備え、外部ケース４１に上面側より内部ハウジング４０及びコンタクト保持部材４２，４２をそれぞれ組み付けるようになっている。
【００４０】
外部ケース４１は、図９に示すように、金属材によって上面が開口した有底各筒状に形成され、コネクタ幅方向の両側端面部には、縦に向けた長孔スリット状のガイド溝２５が形成されている。
【００４１】
また、外部ケース４１の底部には、矩形状の窓部４３が形成され、その窓部４３を挟んでコネクタ幅方向内底部に後述する回動シャフト５４を回転可能に支持する軸受部４４，４４が形成されている。
【００４２】
また、外部ケース４１には、その上面のコネクタ幅方向両側部に導電性金属材製のシールド接続用コンタクト部材４５が固定され、プラグ３の外部ケース６とソケット２の外部ケース４１とを電気的に接続するようになっている
【００４３】
シールド接続用コンタクト部材４５は、外部ケース４１の上面部に固定される平板状の固定部４６と、固定部４６の側縁より上向きに立ち上げた板バネ状の接触片部４７，４７とを備え、プラグ３とソケット２とを連結した際に、接触片部４７，４７の上端に一体に形成された接点部がプラグ３の外部ケース６の内側面部に形成された接点部４８に弾性的に接触するようになっている。
【００４４】
内部ハウジング４０は、図１０に示すように、絶縁性樹脂により一体に形成され、平板状の基部５０と、基部５０のコネクタ幅方向両端より立ち上げた形状の側壁部５１，５１と、基部５０の上面より突出した角筒状のコンタクト収容凸部５２，５２とを備えている。
【００４５】
基部５０には、コンタクト収容凸部５２，５２の内空部と連通した下面に開口した凹状の保持部材嵌合部５３を備え、この保持部材嵌合部５３にコンタクト保持部材４２，４２が嵌め込まれるようになっている。
【００４６】
また、基部５０の下面部には、カムプレート２４，２４の回動軸を構成する回動シャフト５４が回転自在に嵌め込まれる軸受溝５５が形成されている。
【００４７】
コンタクト収容凸部５２，５２は、コネクタ高さ方向の両端が開口した角筒状に形成され、このコンタクト収容凸部５２，５２の外側にスライダ２１の各基板挿通部２０，２０が嵌り込み、このコンタクト収容凸部５２，５２にガイドされてスライダ２１がコネクタ高さ方向の所望の基板挿入位置Ｐ１と基板接続位置Ｐ２との間で移動するようになっている。
【００４８】
このコンタクト収容凸部５２，５２には、コネクタ厚み方向両側壁部にコネクタ高さ方向に長い多数のスリット孔状のコンタクト収容溝５６，５６...がコネクタ幅方向で並列配置に形成され、コンタクト２３，２３...が保持されたコンタクト保持部材４２，４２を保持部材嵌合部５３に嵌め込むことにより、各コンタクト収容溝５６，５６...内にコンタクト２３，２３...がコンタクト収容凸部５２と干渉しないように収容され、且つ、コンタクト２３，２３...が基板挿通部２０，２０の内側に配置されるようになっている。
【００４９】
側壁部５１，５１には、中央部に上端が開口した縦向き長孔状のガイド溝２６が形成され、このガイド溝２６及び外部ケース４１のガイド溝２５を通して操作用シャフト２８の端部がソケットハウジング２２の側端部に突出するようになっている。
【００５０】
コンタクト２３，２３...は、図１１に示すように、弾性を有する導電性金属材をプレス加工することにより一体に形成され、コンタクト保持部材４２，４２に埋設される固定片部６０と、固定片部６０の一端に一体に連続した実装端子部６１と、固定片部６０の他端に一体に支持された弾性接触片部６２とを備えている。
【００５１】
固定片部６０は、インサート成形によりコンタクト保持部材４２，４２に埋め込まれ、各コンタクト２３，２３...は、実装端子部６１がコンタクト保持部材４２，４２下面より突出し、弾性接触片部６２がコンタクト保持部材４２，４２上面より突出し、片持ちバネ状に支持された状態にコンタクト保持部材４２，４２に保持される。
【００５２】
弾性接触片部６２は、固定片部６０と一体に連続した平板針状の弾性支持片６３と、弾性支持片６３の上端部の表面より円弧状又は山形状に膨らんだ形状の接点部６４とにより構成され、固定片部６０を視点としてコネクタ厚み方向に弾性変形できるようになっている。
【００５３】
また、弾性支持片６３には、所望の位置に接点部６４の膨出方向とは反対側に円弧状に膨らんだ形状の操作部６５が形成されている。
【００５４】
カムプレート２４，２４は、図１２に示すように、金属製板材によりその各隅部が円弧状をなす台形状に形成されている。
【００５５】
このカムプレート２４，２４は、内側面部下方に回動シャフト５４の端部が固定される固着部７０を備え、回動シャフト５４を介してソケットハウジング２２の側端面に回動可能に支持されている。
【００５６】
また、カムプレート２４，２４は、その中央部に長孔状の操作溝２７が形成され、この操作溝２７に操作用シャフト２８の端部が挿入され、操作用シャフト２８にこの操作溝２７がガイドされて基板挿入位置Ｐ１にスライダ２１を移動させる位置と、基板接続位置Ｐ２にスライダ２１を移動させる位置との間で回動するようになっている。
【００５７】
操作溝２７は、カム機構を成すように、回動軸（回動シャフト５４の中心軸）からの距離Ｄ１，Ｄ２がそれぞれ異なる位置を通るように形成され、カムプレート２４の回動動作に連動して操作用シャフトが移動し、スライダ２１を移動させるようになっている。
【００５８】
ここでは、長孔の一方の端部と回動軸５４との距離Ｄ１が長孔の他方の端部と回動軸との距離Ｄ２よりも短くなるように形成されている。
【００５９】
従って、カムプレート２４，２４が回動すると、操作溝２７に挿入された操作用シャフト２８も操作溝２７及びガイド溝２５，２６にガイドされつつ変位し、それに伴いスライダ２１も所望の基板挿入位置Ｐ１と基板接続位置Ｐ２との間で移動する。
【００６０】
また、このカムプレート２４，２４には、上縁部に鉤状のロック用鉤部７１を一体に備え、カムプレート２４，２４の基板接続位置Ｐ２にスライダ２１を移動させる側への回動に伴い、係合凹部７１ａ内にプラグ３に形成されたロック用突起１２が嵌り込み、ロック用突起１２とロック用鉤部７１とが互いに係合するようになっている。
【００６１】
尚、図中符号７２は、カムプレート２４，２４を回動動作させる際に使用するハンドル部材である。
【００６２】
このように構成された基板対基板コネクタ１を接続するには、図１３（ａ）に示すように、プラグ３とソケット２とを連結し、プラグ３の下面より露出した接続基板Ｂ，Ｂの端部をスライダ２１の基板挿通部２０，２０に挿入させる。
【００６３】
その際、カムプレート２４，２４は、スライダ２１が基板挿入位置Ｐ１にある側にあって、図１４（ａ）に示すように、基板挿通部２０，２０の内側面２０ａ、２０ａと各コンタクト２３，２３...の操作部６５とが非接触の状態にあるので、各コンタクト２３，２３...には基板側への力が加わらず、接続基板Ｂ，Ｂは無挿抜力で抵抗なく挿入することができる。
【００６４】
尚、プラグ３とソケット２とを連結する際、プラグ３とソケット２との連結向きが誤っている場合には、ロック用突起１２がプラグハウジング４のコネクタ厚み方向の一方に片寄せて配置されているので、ロック用突起１２とカムプレート２４，２４とが互いに干渉してプラグ３とソケット２とが連結できないようになっており、接続基板Ｂ，Ｂの誤挿入が防止される。
【００６５】
次に、図１３（ｂ）に示すように、カムプレート２４，２４を基板接続位置Ｐ２にスライダ２１を移動させる側、図中では時計回りに回動させると、それに連動して操作溝２７にガイドされて操作用シャフト２８が押し下げられ、それによってスライダ２１も所望の基板接続位置Ｐ２まで押し下げられる。
【００６６】
そして、スライダ２１が基板接続位置Ｐ２まで押し下げられると、図１３（ｂ）及び図１４（ｂ）に示すように、基板挿通部２０，２０の内側面２０ａ，２０ａが各コンタクト２３，２３...の操作部６５と接触し、コンタクト２３，２３...の弾性接触片部６２を接続基板Ｂ側に押圧し、それに伴い、コンタクト２３，２３...の接点部６４が接続基板Ｂの信号パッド７，７...に一定の接触圧により圧接する。
【００６７】
また、カムプレート２４，２４の回動に伴って、ロック用鉤部７１も移動し、ロック用鉤部７１がプラグ３のロック用突起１２と互いに係合し、プラグ３とソケット２とが互いに離脱不能に連結され、接続基板Ｂ，Ｂの信号パッド７，７...とコンタクト２３，２３...とが接触した状態で接続される。
【００６８】
一方、ソケット２とプラグ３の接続を解除する際には、カムプレート２４，２４を基板挿入位置Ｐ１にスライダ２１が移動する側（図中の反時計回り）に回動させると、それに伴いロック用突起１２よりロック用鉤部７１が離脱するとともに、操作溝２７にガイドされて操作用シャフト２８が押し上げられ、それによってスライダ２１も所望の基板挿入位置Ｐ１まで押し上げられる。
【００６９】
そして、スライダ２１が基板挿入位置Ｐ１まで押し上げられると、基板挿通部２０，２０の内側面が各コンタクト２３，２３...の操作部６５より離脱し、コンタクト２３，２３...の弾性接触片部６２が弾性復帰して接続基板Ｂ，Ｂ側への押圧力が取り除かれ、接続基板Ｂ，Ｂ及びプラグ３を無挿抜力により容易に離脱させることができる。
【００７０】
尚、この基板対基板用コネクタ１では、各接続基板Ｂ，Ｂを多極ケーブルに接続する場合等、用途に応じて、図１５、図１６に示すように、外部ケース６及び接続基板Ｂ，Ｂの非挿入側の露出部を覆うカバー８０を備えるようにしてもよい。
【００７１】
また、上述の実施例では、接続基板Ｂ，Ｂをプラグ３に保持させた例について説明したが、ソケット２に接続基板Ｂ，Ｂ単体で挿入するようにしてもよい。
【００７２】
更に、上述の実施例では、接続基板Ｂ，Ｂをソケット２に対し二列配置で接続させる構造について説明したが、接続基板Ｂを１列配置でソケット２に接続させる構造でもよく、また、３列以上の接続基板を並列配置に接続させる構造であってもよい。
【符号の説明】
【００７３】
Ａ  実装基板
Ｂ  接続基板
１  基板対基板用コネクタ
２  ソケット
３  プラグ
４  プラグハウジング
５  内部ハウジング
６  外部ケース
７  信号パッド
８  保持用凸部
９  基板保持部
１０  係合凹部
１１  実装用凹部
１２  ロック用突起
２０  基板挿通部
２１  スライダ
２２  ソケットハウジング
２３  コンタクト
２４  カムプレート
２５、２６  ガイド溝
２７  操作溝
２８  操作用シャフト
３０  天板部
３１  軸受凸部
３２  側板部
３３  挿通孔
３４  ストッパー部
３５  シャフト挿通孔
４０  内部ハウジング
４１  外部ケース
４２  コンタクト保持部材
４３  窓部
４４  軸受部
４５  シールド接続用コンタクト部材
４６  固定部
４７  接触片部
４８  接点部
５０  基部
５１  側壁部
５２  コンタクト収容凸部
５３  保持部材嵌合部
５４  回動シャフト
５５  軸受溝
５６  コンタクト収容溝
６０  固定片部
６１  実装端子部
６２  弾性接触片部
６３  弾性支持片
６４  接点部
６５  操作部
７０  固着部
７１  ロック用鉤部
７２  ハンドル部材
【図１】
2015198021.tif 000003
【図２】
2015198021.tif 000004
【図３】
2015198021.tif 000005
【図４】
2015198021.tif 000006
【図５】
2015198021.tif 000007
【図６】
2015198021.tif 000008
【図７】
2015198021.tif 000009
【図８】
2015198021.tif 000010
【図９】
2015198021.tif 000011
【図１０】
2015198021.tif 000012
【図１１】
2015198021.tif 000013
【図１２】
2015198021.tif 000014
【図１３】
2015198021.tif 000015
【図１４】
2015198021.tif 000016
【図１５】
2015198021.tif 000017
【図１６】
2015198021.tif 000018